【手続補正書】
【提出日】平成15年8月19日(2003.8.19)
【手続補正１】
【補正対象書類名】明細書
【補正対象項目名】特許請求の範囲
【補正方法】変更
【補正の内容】
【特許請求の範囲】
【請求項１】
番組および関連する番組ガイドデータをユーザに表示する、ユーザテレビ機器（２２）上で動作する双方向テレビ番組ガイドシステムであって、
該双方向テレビ番組ガイドを用いて、該番組および関連番組データを該ユーザテレビ機器（２２）に表示する手段と、
該双方向テレビ番組ガイドを用いて、該ユーザテレビ機器（２２）に内蔵されるデジタル格納デバイス（３１）内に該番組および関連番組データをデジタルに格納する手段と、
を備える双方向テレビ番組ガイドシステム。
【請求項２】
前記表示手段は、前記双方向テレビ番組ガイドを用いて、前記ユーザテレビ機器（２２）に設定画面（１２０）を表示する手段をさらに備える、請求項１に記載のシステム。
【請求項３】
前記設定画面（１２０）は、１つ以上の格納オプションを規定する機会をユーザに提供する手段を備える、請求項２に記載のシステム。
【請求項４】
前記格納オプションは、言語、映像形式、格納物への視聴制限の実行、および視聴済みエントリの自動消去からなる群から選択された１つ以上の格納オプションを含む、請求項３に記載のシステム。
【請求項５】
前記言語格納オプションを用いて、前記双方向テレビ番組ガイドによって、前記番組をある言語でデジタル格納デバイス（３１）にデジタルに格納する手段をさらに備える、請求項４に記載のシステム。
【請求項６】
前記映像形式格納オプションを用いて、前記双方向テレビ番組ガイドによって、前記番組をある映像形式でデジタル格納デバイス（３１）にデジタルに格納する手段をさらに備える、請求項４に記載のシステム。
【請求項７】
前記格納物への視聴制限の実行オプションを用いて、前記双方向テレビ番組ガイドによって、前記番組および関連番組データをデジタル格納デバイス（３１）にデジタルに格納する手段をさらに備える、請求項４に記載のシステム。
【請求項８】
前記視聴済みエントリの自動消去格納オプションを用いて、前記双方向テレビ番組ガイドによって、デジタル格納デバイス（３１）から番組および関連番組データを自動的に削除する手段をさらに備える、請求項４に記載のシステム。
【請求項９】
前記設定画面（１２０）は、再生オプションを規定する機会をユーザに提供する手段を備える、請求項２に記載のシステム。
【請求項１０】
前記再生オプションは、デフォルト言語、デフォルト映像形式、コマーシャルスキップからなる群から選択される１つ以上の再生オプションを備える、請求項９に記載のシステム。
【請求項１１】
前記表示手段は、前記デフォルト言語再生オプションを用いて、前記双方向テレビ番組ガイドによって、前記デジタルに格納された番組および関連するデータをある言語で前記ユーザテレビ機器（２２）上に表示する、請求項１０に記載のシステム。
【請求項１２】
前記表示手段は、前記デフォルト映像形式再生オプションを用いて、前記双方向テレビ番組ガイドによって、前記デジタルに格納された番組および番組データをある映像形式で前記ユーザテレビ機器（２２）上に表示する、請求項１０に記載のシステム。
【請求項１３】
前記双方向テレビ番組ガイドを用いて、前記デジタルに格納された番組が広告を含むかどうかを判定する手段をさらに備え、
前記表示手段は、前記コマーシャルスキップオプションを用いて、該双方向テレビ番組ガイドによって、該デジタルに格納された番組および番組データを表示するときに該広告情報の表示をスキップする、
請求項１０に記載のシステム。
【請求項１４】
前記設定画面（１２０）は、番組情報を表示する画面に表示する構成要素を選択する機会をユーザに提供する手段を備える、請求項２に記載のシステム。
【請求項１５】
前記表示手段は、前記双方向テレビ番組ガイドを用いて、前記ユーザテレビ機器（２２）に録画予定画面を表示する手段をさらに備える、請求項１に記載のシステム。
【請求項１６】
前記録画予定画面は、
前記デジタル格納手段によって格納される前記番組の現在の予定の表示と、
該番組から１つを選択する機会をユーザに提供する手段と、
を備え、前記表示手段は、前記双方向テレビ番組ガイドを用いて、該選択された番組の選択された番組リスト項目情報画面を前記ユーザテレビ機器（２２）上に表示する手段をさらに備える、
請求項１５に記載のシステム。
【請求項１７】
前記選択された番組リスト項目情報画面は、前記選択された番組の関連番組データの１つ以上のフィールドを備える、請求項１６に記載のシステム。
【請求項１８】
前記選択された番組リスト項目情報画面は、
１つ以上のユーザフィールドと、
１つ以上の該ユーザフィールドにユーザ情報を入力する機会をユーザに提供する手段と、
をさらに備える、請求項１７に記載のシステム。
【請求項１９】
前記表示手段は、前記双方向テレビ番組ガイドを用いて番組リスト項目画面を前記ユーザテレビ機器（２２）に表示する手段をさらに備え、該番組リスト項目画面は、番組リスト項目を選択する機会を前記ユーザに提供する手段を備える、請求項１に記載のシステム。
【請求項２０】
前記番組リスト項目画面を表示する手段は、１つ以上の分類基準に従って番組リスト項目をリスト項目の部分集合として表示する手段をさらに備える、請求項１９に記載のシステム。
【請求項２１】
前記分類基準を選択する機会をユーザに提供する手段をさらに備える、請求項２０に記載のシステム。
【請求項２２】
前記分類基準を規定する機会をユーザに提供する手段をさらに備える、請求項２０に記載のシステム。
【請求項２３】
前記番組リスト項目画面を表示する手段は、選別基準に従って選別されたリストとして番組リスト項目を表示する手段をさらに備える、請求項１９に記載のシステム。
【請求項２４】
前記選別基準を選択する機会をユーザに提供する手段をさらに備える、請求項２３に記載のシステム。
【請求項２５】
前記番組リスト項目画面は、前記デジタル格納手段により格納される番組のリスト項目を備える、請求項１９に記載のシステム。
【請求項２６】
前記表示手段は、前記双方向テレビ番組ガイドを用いて、前記選択された番組リスト項目の番組リスト項目情報画面をユーザテレビ機器（２２）に表示する手段をさらに備える、請求項１９に記載のシステム。
【請求項２７】
前記番組リスト項目情報画面は、タイトル、詳細、エピソード、チャンネル、継続時間、視聴の有無、出演者、カテゴリ（単数または複数）、言語、映像形式、開始時間および終了時間、日付、リランインジケータ、ステレオインジケータ、クローズドキャプションンインジケータ、および他の情報からなる群から選択される関連番組データの１つ以上のフィールドを備える、請求項２６に記載のシステム。
【請求項２８】
前記表示手段は、１つ以上の画面上オプションを表示する手段をさらに備え、
画面上オプションを選択する機会をユーザに提供する手段をさらに備える、
請求項２５に記載のシステム。
【請求項２９】
前記番組リスト項目を表示する手段は、番組リスト項目を番組リスト項目グリッドで表示する手段をさらに備える、請求項１９に記載のシステム。
【請求項３０】
前記番組リスト項目グリッドは、前記デジタル格納手段により格納される１つ以上の横列のリスト項目を備える、請求項２９に記載のシステム。
【請求項３１】
前記表示手段は、前記双方向テレビ番組ガイドを用いて前記デジタルに格納された番組および関連番組データを前記ユーザテレビ機器（２２）上に表示して、前記番組および番組データが最初に放送されたときのように該関連番組データにアクセスする機会をユーザに提供する手段をさらに備える、請求項１に記載のシステム。
【請求項３２】
前記デジタル的格納手段は、さらなる番組構成要素をデジタル格納デバイス（３１）にデジタルに格納する手段をさらに備える、請求項１に記載のシステム。
【請求項３３】
前記関連番組データは、主設備（１２）により供給される番組リスト項目データを備える、請求項１に記載のシステム。
【請求項３４】
前記関連番組データは、ユーザが追加した情報を備える、請求項１に記載のシステム。
【請求項３５】
前記双方向テレビ番組ガイドを用いて、前記デジタルに格納された番組を第２の格納デバイス（３２）に転送する手段をさらに備える、請求項１に記載のシステム。
【請求項３６】
番組および関連する番組ガイドデータをユーザに表示する、ユーザテレビ機器（２２）上で動作する双方向テレビ番組ガイドシステムであって、
該双方向テレビ番組ガイドを用いて、該番組および関連番組データをデジタルに格納する、該ユーザテレビ機器（２２）内のデジタル格納デバイス（３１）と、
該双方向テレビ番組ガイドを用いて、該デジタルに格納された関連番組データのディレクトリを保持する手段と、
を備える双方向テレビ番組ガイドシステム。
【請求項３７】
前記双方向テレビ番組ガイドを用いて、ディレクトリリスト項目画面を前記ユーザテレビ機器（２２）上に表示する手段をさらに備える、請求項３６に記載のシステム。
【請求項３８】
前記ディレクトリリスト項目画面は、
ディレクトリエントリ情報を表示する手段と、
ディレクトリエントリ情報を選択する機会をユーザに提供する手段と、
を備え、該表示手段は、ユーザのディレクトリ情報の該選択に応答して全エントリ情報画面（１００）を表示する手段をさらに備える、
請求項３７に記載のシステム。
【請求項３９】
前記全エントリ情報画面（１００）は、タイトル、詳細、エピソード、チャンネル、継続時間、視聴の有無、出演者、カテゴリ（単数または複数）、言語、映像形式、開始時間および終了時間、日付、リランインジケータ、ステレオインジケータ、クローズドキャプションンインジケータ、および他の情報からなる群から選択されるディレクトリエントリ情報の複数のフィールドを備える、請求項３８に記載のシステム。
【請求項４０】
前記全エントリ情報画面（１００）は、
１つ以上のユーザが規定したフィールドと、
１つ以上の該ユーザが規定したフィールドにユーザ情報を入力する機会をユーザに提供する手段と、
をさらに備える、請求項３９に記載のシステム。
【請求項４１】
編集画面を表示する手段と、
前記双方向テレビ番組ガイドを用いて、前記デジタル格納デバイス（３１）から、前記デジタルに格納された番組および関連番組データの一部を編集する手段と、
をさらに備える、請求項３６に記載のシステム。
【請求項４２】
前記編集画面は、前記編集手段により編集される前記デジタルに格納された番組および関連番組データの一部を編集する機会をユーザに提供する手段を備える、請求項４１に記載のシステム。
【請求項４３】
前記部分的編集画面は、映像フィードバック領域（１１３）をさらに備える、請求項４２に記載のシステム。
【請求項４４】
前記デジタル格納デバイス（３１）は、前記双方向テレビ番組ガイドを用いて、前記番組および関連番組データをリムーバブルデジタル格納媒体にデジタルに格納し、
前記保持手段は、該双方向テレビ番組ガイドを用いて、該デジタルに格納された関連番組データをグローバル媒体ライブラリ内に保持する、
請求項３６に記載のシステム。
【請求項４５】
前記双方向テレビ番組ガイドを用いて、グローバル媒体ライブラリ画面を前記ユーザテレビ機器（２２）上に表示する手段をさらに備える、請求項４４に記載のシステム。
【請求項４６】
前記グローバル媒体ライブラリ画面は、前記リムーバブル格納媒体に格納されている番組を選択する機会をユーザに提供する手段と、
該選択された番組を含む該リムーバブル格納媒体が前記デジタル格納デバイス（３１）にロードされていない旨の表示を表示する手段と、
を備える、請求項４５に記載のシステム。
【請求項４７】
番組および関連する番組ガイドデータをユーザに表示する、ユーザテレビ機器（２２）上で動作する双方向テレビ番組ガイドシステムであって、
該双方向テレビ番組ガイドを用いて、該番組および関連番組データをデジタルに格納する、該ユーザテレビ機器（２２）内のデジタル格納デバイス（３１）と、
スーパー番組シーケンスを規定する手段と、
該双方向テレビ番組ガイドを用いて、該規定されたスーパー番組シーケンスに従って、該番組および該番組ならびに関連番組データのセグメントを該ユーザテレビ機器（２２）上に表示する手段と、
を備える、双方向テレビ番組ガイドシステム。
【請求項４８】
前記規定手段は、前記双方向テレビ番組ガイドを用いて、スーパー番組画面を前記ユーザテレビ機器（２２）上に表示する手段をさらに備える、請求項４７に記載のシステム。
【請求項４９】
前記スーパー番組画面は、
前記デジタル格納デバイス（３１）に格納される番組を表示する領域と、
前記スーパー番組シーケンス内に含まれる番組を選択する機会をユーザに提供する手段と、
を備える、請求項４８に記載のシステム。
【請求項５０】
前記スーパー番組画面は、再生セグメントを規定する機会をユーザに提供する領域をさらに備え、
前記表示手段は、前記双方向テレビ番組ガイドを用いて、前記スーパー番組シーケンスに従って、前記番組および関連番組データのセグメントを前記ユーザテレビ機器（２２）上に表示する手段をさらに備える、
請求項４８に記載のシステム。
【請求項５１】
前記再生セグメントを規定する機会をユーザに提供する領域は、
再生セグメントインジケータと、
該再生セグメントを規定する１つ以上のマーカと、
を備える、請求項５０に記載のシステム。
【請求項５２】
前記スーパー番組画面は、映像フィードバック領域（１１３）をさらに備える、請求項４８に記載のシステム。
【請求項５３】
前記双方向テレビ番組ガイドを用いて、前記規定されたスーパー番組に従って、前記デジタルに格納された番組を第２の格納デバイス（３２）に転送する手段をさらに備える、請求項４７に記載のシステム。
【請求項５４】
番組および関連番組データを表示する、ユーザテレビ機器（２２）にインプリメントされる双方向テレビ番組ガイドにおいて用いられる方法であって、
該双方向テレビ番組ガイドを用いて、該番組および関連番組データを該ユーザテレビ機器（２２）上に表示する工程と、
該双方向テレビ番組ガイドを用いて、該番組および関連番組データを、該ユーザテレビ機器（２２）に内蔵されるデジタル格納デバイス（３１）にデジタルに格納する工程と、
を包含する、方法。
【請求項５５】
前記双方向テレビ番組ガイドを用いて、設定画面（１２０）を前記ユーザテレビ機器（２２）上に表示する工程をさらに包含する、請求項５４に記載の方法。
【請求項５６】
前記設定画面（１２０）を表示する工程は、１つ以上の格納オプションを規定する機会をユーザに提供する工程をさらに包含する、請求項５５に記載の方法。
【請求項５７】
前記設定画面（１２０）を表示する工程は、言語、映像形式、格納物への視聴制限の実行、および視聴済みエントリの自動消去からなる群から選択される１つ以上の格納オプションを規定する機会をユーザに提供する工程をさらに包含する、請求項５６に記載の方法。
【請求項５８】
前記言語格納オプションを用いて、前記双方向テレビ番組ガイドによって、前記番組をある言語でデジタル格納デバイス（３１）にデジタルに格納する工程をさらに包含する、請求項５７に記載の方法。
【請求項５９】
前記映像形式格納オプションを用いて、前記双方向テレビ番組ガイドによって、前記番組をある映像形式でデジタル格納デバイス（３１）にデジタルに格納する工程ををさらに包含する、請求項５７に記載の方法。
【請求項６０】
前記格納物への視聴制限の実行オプションを用いて、前記双方向テレビ番組ガイドによって、前記番組および関連番組データをデジタル格納デバイス（３１）にデジタルに格納する工程をさらに包含する、請求項５７に記載の方法。
【請求項６１】
前記視聴済みエントリの自動消去格納オプションを用いて、前記双方向テレビ番組ガイドによって、番組および関連番組データをデジタル格納デバイス（３１）から自動削除する工程をさらに包含する、請求項５７に記載の方法。
【請求項６２】
前記設定画面（１２０）を表示する工程は、再生オプションを規定する機会をユーザに提供する工程をさらに包含する、請求項５５に記載の方法。
【請求項６３】
前記設定画面（１２０）を表示する工程は、デフォルト言語、デフォルト映像形式、コマーシャルスキップからなる群から選択される１つ以上の再生オプションを規定する機会をユーザに提供する工程をさらに包含する、請求項５５に記載の方法。
【請求項６４】
前記デフォルト言語再生オプションを用いて、前記双方向テレビ番組ガイドによって、前記デジタルに格納された番組および関連番組データを、ある言語で前記ユーザテレビ機器（２２）に表示する工程をさらに包含する、請求項６３に記載の方法。
【請求項６５】
前記デフォルト映像形式再生オプションを用いて、前記双方向テレビ番組ガイドによって、前記デジタルに格納された番組および番組データを、ある映像形式で前記ユーザテレビ機器（２２）上に表示する工程をさらに包含する、請求項６３に記載の方法。
【請求項６６】
前記双方向テレビ番組ガイドを用いて、前記デジタルに格納された番組が広告を含むかどうかを判定する工程と、
前記コマーシャルスキップ再生オプションを用いて、該双方向テレビ番組ガイドによって、該デジタルに格納された番組および番組データの再生時に該広告情報をスキップする工程と、
をさらに包含する、請求項６３に記載の方法。
【請求項６７】
番組情報を表示する画面に表示される構成要素を選択する機会をユーザに提供する工程をさらに包含する、請求項５５に記載の方法。
【請求項６８】
前記双方向テレビ番組ガイドを用いて、録画予定画面を前記ユーザテレビ機器（２２）上に表示する工程をさらに包含する、請求項５４に記載の方法。
【請求項６９】
前記デジタル格納手段によって格納される番組として現在予定されている番組を表示する工程と、
該番組の１つを選択する機会をユーザに提供する工程と、
前記双方向テレビ番組ガイドを用いて、該選択された番組に関する選択された番組リスト項目情報画面を前記ユーザテレビ機器（２２）上に表示する工程と、をさらに包含する、請求項６８に記載の方法。
【請求項７０】
選択された番組リスト項目情報画面を表示する工程は、該選択された番組の関連番組データの１つ以上のフィールドを表示する工程を包含する、請求項６９に記載の方法。
【請求項７１】
１つ以上のユーザフィールドを表示する工程と、
該ユーザフィールドの１つ以上にユーザ情報を入力する機会をユーザに提供する工程と、
をさらに包含する、請求項７０に記載の方法。
【請求項７２】
前記双方向テレビ番組ガイドを用いて、番組リスト画面項目を前記ユーザテレビ機器（２２）上に表示する工程と、
番組リスト項目を選択する機会をユーザに提供する工程と、
をさらに包含する、請求項５４に記載の方法。
【請求項７３】
前記番組リスト項目を表示する手段は、１つ以上の分類基準に従って番組リスト項目をリスト項目の部分集合として表示する手段をさらに備える、請求項７２に記載の方法。
【請求項７４】
前記分類基準を選択する機会をユーザに提供する工程をさらに包含する、請求項７３に記載の方法。
【請求項７５】
前記分類基準を規定する機会をユーザに提供する工程をさらに包含する、請求項７３に記載の方法。
【請求項７６】
番組リスト項目を、選別基準に従って選別されたリストとして表示する工程をさらに包含する、請求項７２に記載の方法。
【請求項７７】
前記選別基準を選択する機会をユーザに提供する工程をさらに包含する、請求項７６に記載の方法。
【請求項７８】
前記番組リスト項目画面を表示する工程は、デジタル格納デバイス（３１）に格納される番組のリスト項目を表示する工程をさらに包含する、請求項７２に記載の方法。
【請求項７９】
前記双方向テレビ番組ガイドを用いて、前記選択された番組リスト項目に関する番組リスト項目情報画面を前記ユーザテレビ機器（２２）上に表示する工程をさらに包含する、請求項７８に記載の方法。
【請求項８０】
前記番組リスト項目情報画面を表示する工程は、タイトル、詳細、エピソード、チャンネル、継続時間、視聴の有無、出演者、カテゴリ（単数または複数）、言語、映像形式、開始時間および終了時間、日付、リランインジケータ、ステレオインジケータ、クローズドキャプションンインジケータ、および他の情報からなる群から選択された関連番組データの１つ以上のフィールドを表示する工程をさらに包含する、請求項７９に記載の方法。
【請求項８１】
１つ以上の画面上オプションを表示する工程と、
画面上オプションを選択する機会をユーザに提供する工程と、
をさらに包含する、請求項７８に記載の方法。
【請求項８２】
前記番組リスト項目を表示する工程は、番組リスト項目を番組リスト項目グリッドで表示する工程をさらに包含する、請求項７２に記載の方法。
【請求項８３】
前記番組リスト項目グリッドを表示する工程は、前記デジタル格納手段により格納される１つ以上の横列の番組リスト項目を表示する工程をさらに包含する、請求項７２に記載の方法。
【請求項８４】
前記双方向テレビ番組ガイドを用いて、前記デジタルに格納された番組および関連番組データを前記ユーザテレビ機器（２２）上に表示して、該番組および番組データが最初に放送されたときのように該関連番組データにアクセスする機会をユーザに提供する工程をさらに包含する、請求項５４に記載の方法。
【請求項８５】
さらなる番組構成要素を、デジタル格納デバイス（３１）にデジタルに格納する工程をさらに包含する、請求項５４に記載の方法。
【請求項８６】
ユーザにより追加される情報を提供する機会をユーザに提供する工程をさらに包含する、請求項５４に記載の方法。
【請求項８７】
前記双方向テレビ番組ガイドを用いて、前記デジタルに格納された番組を第２の格納デバイス（３２）に転送する工程をさらに包含する、請求項５４に記載の方法。
【請求項８８】
番組および関連番組データを表示する、ユーザテレビ機器（２２）にインプリメントされる双方向テレビ番組ガイドにおいて用いられる方法であって、
該双方向テレビ番組ガイドを用いて、該番組および関連番組データをデジタルに格納する工程と、
該双方向テレビ番組ガイドを用いて、該デジタルに格納された関連番組データのディレクトリを保持する工程と、
を包含する方法。
【請求項８９】
前記双方向テレビ番組ガイドを用いて、ディレクトリリスト項目画面を前記ユーザテレビ機器（２２）上に表示する工程をさらに包含する、請求項８８に記載の方法。
【請求項９０】
ディレクトリエントリ情報を表示する工程と、
ディレクトリエントリ情報を選択する機会をユーザに提供する工程と、
ユーザによるディレクトリ情報の該選択に応答して、全エントリ情報画面（１００）を表示する工程と、
をさらに包含する、請求項８９に記載の方法。
【請求項９１】
タイトル、詳細、エピソード、チャンネル、継続時間、視聴の有無、出演者、カテゴリ（単数または複数）、言語、映像形式、開始時間および終了時間、日付、リランインジケータ、ステレオインジケータ、クローズドキャプションンインジケータ、および他の情報からなる群から選択されるディレクトリエントリ情報の複数のフィールドを表示する工程をさらに包含する、請求項９０に記載の方法。
【請求項９２】
１つ以上のユーザが規定したフィールドを表示する工程と、
該ユーザが規定したフィールドの１つ以上に、ユーザ情報を入力する機会をユーザに提供する工程と、
をさらに包含する、請求項９１に記載の方法。
【請求項９３】
編集画面を表示する工程と、
前記双方向テレビ番組ガイドを用いて、前記デジタル格納デバイス（３１）から、前記デジタルに格納された番組および関連番組データの一部を編集する工程と、
をさらに包含する、請求項８８に記載の方法。
【請求項９４】
前記編集手段により編集される、前記デジタルに格納された番組および関連番組データの一部を規定する機会をユーザに提供する工程をさらに包含する、請求項９３に記載の方法。
【請求項９５】
映像フィードバック領域（１１３）を提供する工程をさらに包含する、請求項９４に記載の方法。
【請求項９６】
前記双方向テレビ番組ガイドを用いて、前記番組および関連番組データをリムーバブルデジタル格納媒体にデジタルに格納する工程と、
該双方向テレビ番組ガイドを用いて、該デジタルに格納された関連番組データをグローバル媒体ライブラリ内に保持する工程と、
をさらに包含する、請求項８８に記載の方法。
【請求項９７】
前記双方向テレビ番組ガイドを用いて、グローバル媒体ライブラリ画面を前記ユーザテレビ機器（２２）上に表示する工程をさらに包含する、請求項９６に記載の方法。
【請求項９８】
前記リムーバブル格納媒体に格納される番組を選択する機会をユーザに提供する工程と、
該選択された番組を含む該リムーバブル格納媒体が、前記デジタル格納デバイス（３１）にロードされていない旨の表示を表示する工程と、
をさらに包含する、請求項９７に記載の方法。
【請求項９９】
番組および関連番組データを表示する、ユーザテレビ機器（２２）にインプリメントされる双方向テレビ番組ガイドにおいて用いられる方法であって、
該双方向テレビ番組ガイドを用いて、該番組および関連番組データをデジタルに格納する工程と、
スーパー番組シーケンスを規定する工程と、
該双方向テレビ番組ガイドを用いて、該番組および該番組ならびに関連番組データのセグメントを、該規定されたスーパー番組シーケンスに従って、該ユーザテレビ機器（２２）上に表示する工程と、
を包含する方法。
【請求項１００】
前記双方向テレビ番組ガイドを用いて、スーパー番組画面を前記ユーザテレビ機器（２２）上に表示する工程をさらに包含する、請求項９９に記載の方法。
【請求項１０１】
前記デジタル格納デバイス（３１）に格納された番組を示す工程と、
前記スーパー番組シーケンスに含まれる番組を選択する機会をユーザに提供する工程と、
をさらに包含する、請求項１００に記載の方法。
【請求項１０２】
再生セグメントを規定する機会をユーザに提供する工程と、
前記双方向テレビ番組ガイドを用いて、前記スーパー番組シーケンスに従って、前記番組および関連番組データの再生セグメントを前記ユーザテレビ機器（２２）上に表示する工程と、
をさらに包含する、請求項１００に記載の方法。
【請求項１０３】
再生セグメントインジケータを表示する工程と、
該再生セグメントを規定する１つ以上のマーカを提供する工程と、
をさらに包含する、請求項１０２に記載の方法。
【請求項１０４】
映像フィードバック領域（１１３）を提供する工程をさらに包含する、請求項１００に記載の方法。
【請求項１０５】
前記双方向テレビ番組ガイドを用いて、前記規定されたスーパー番組に従って、前記デジタルに格納された番組を第２の格納デバイス（３２）に転送する工程をさらに包含する、請求項９９に記載の方法。